(57)【要約】【課題】  DCイレースでの消去率を測定することにより、より効果的な最適化を行う光ディスク装置および記録パワー制御方法を提供する。【解決手段】  ピークパワーおよびイレーズパワーで定義されるマルチパルスを用い、設定された目標値を維持するように記録パルスを制御して情報記録を行う光ディスク装置であって、前記イレーズパワーとしてマルチパルス出力されていないときのイレーズパワーを使い、当該イレーズパワーに対する目標値近傍になるように制御している系において、パルスのイレーズパワー消去率を測定しこの消去率から算出される平均的な出力レベルの期待値と、この出力単位での実際に計測された出力レベルを比較して、期待値近傍になるように制御する制御手段、を備えたことを特徴とする光ディスク装置。【選択図】      図６
2009087399.tif 000002
【特許請求の範囲】
【請求項１】
ピークパワーおよびイレーズパワーで定義されるマルチパルスを用い、設定された目標
値を維持するように記録パルスを制御して情報記録を行う光ディスク装置であって、
前記イレーズパワーとしてマルチパルス出力されていないときのイレーズパワーを使い
、当該イレーズパワーに対する目標値近傍になるように制御している系において、パルス
のイレーズパワー消去率を測定しこの消去率から算出される平均的な出力レベルの期待値
と、この出力単位での実際に計測された出力レベルを比較して、期待値近傍になるように
制御する制御手段、を備えたことを特徴とする光ディスク装置。
【請求項２】
ピークパワーおよびイレーズパワーで定義されるマルチパルスを用い、設定された目標
値を維持するように記録パルスを制御して情報記録を行う光学的情報記録装置における記
録パワー制御方法であって、
前記イレーズパワーとしてマルチパルス出力されていないときのイレーズパワーを使い
、当該イレーズパワーに対する目標値近傍になるように制御する系において、パルスのイ
レーズパワー消去率を測定しこの消去率から算出される平均的な出力レベルの期待値と、
この出力単位での実際に計測された出力レベルを比較して、期待値近傍になるように制御
すること、
を特徴とする記録パワー制御方法。
【発明の詳細な説明】
【技術分野】
【０００１】
本発明は、光ディスク装置および記録パワー制御方法に関する。
【背景技術】
【０００２】
CD/DVD/HD DVD/BDなどのRW系メディア（繰り返し記録可能メディア）の記録パワー決定
シーケンス（OPC）の中で、ピークとイレースの比（イプシロン）を最適化するというニ
ーズがある。
【０００３】
これに対し特許文献１には、ディスクに記録される記録マークの記録品位を確保するべ
くピークパワー値に対するイレーズパワー値の比率であるε値を設定する際に、レーザー
ドライバ２にピークパワー制御信号を供給しないでイレーズパワー制御信号及びボトムパ
ワー制御信号を供給する状態にして光学ヘッドのレーザー光源１から出射されるレーザー
ビームをモニタしたモニタ出力の振幅を測定し、この振幅の測定によりイレーズパワー値
を検出し、このイレーズパワー値と決定されたε値からピークパワー値を算出し、このピ
ークパワー値に対応してピークパワー信号発生回路１０から発生されるピークパワー制御
信号を設定するという内容が記載されている。
【０００４】
また特許文献２には、マルチパルスを用い、設定された目標値を維持するように記録パ
ルスを制御して情報記録を行う光学的情報記録装置において、イレーズパワーとしてマル
チパルス出力されていないときのイレーズパワーを使い、当該イレーズパワーに対する目
標値近傍になるように制御をしている系において、パルスのピークパワーおよびボトムパ
ワーの目標値とある記録出力単位でのマルチパルスのストラテジで定義された比率から算
出される平均的な出力レベルの期待値と、この出力単位での実際に計測された出力レベル
を比較して、期待値近傍になるように制御する制御手段（ＣＰＵ４）を備えるという内容
が記載されている。
【０００５】
これらの従来例はレーザーのIL（電流 .VS. レーザパワー特性）を校正したり、平均値
でAPCを掛けるなど、パルスをいかに制御するかという点に着目した技術であり一つのア
プローチであるが、効果が十分とは言えないという問題があった。
【特許文献１】特開２００４−３２６８４１号公報
【特許文献２】特開２００３−２８１７２５号公報
【発明の開示】
【発明が解決しようとする課題】
【０００６】
本発明は、DCイレースでの消去率を測定することにより、より効果的な最適化を行う光
ディスク装置および記録パワー制御方法を提供することを目的とする。
【課題を解決するための手段】
【０００７】
上記課題を解決するために、本発明の光ディスク装置は、ピークパワーおよびイレーズ
パワーで定義されるマルチパルスを用い、設定された目標値を維持するように記録パルス
を制御して情報記録を行う光ディスク装置であって、前記イレーズパワーとしてマルチパ
ルス出力されていないときのイレーズパワーを使い、当該イレーズパワーに対する目標値
近傍になるように制御している系において、パルスのイレーズパワー消去率を測定しこの
消去率から算出される平均的な出力レベルの期待値と、この出力単位での実際に計測され
た出力レベルを比較して、期待値近傍になるように制御する制御手段を具備することを特
徴とする。
【発明の効果】
【０００８】
本発明によれば、DCイレースでの消去率を測定することにより、より効果的な最適化を
行う光ディスク装置および記録パワー制御方法が得られる。
【発明を実施するための最良の形態】
【０００９】
以下、本発明の実施例を説明する。
【実施例１】
【００１０】
本発明による実施例１を図１乃至図６を参照して説明する。
図１は、本発明が適用される光ディスク装置１の構成を示すブロック図である。光ディ
スク２はＣＤ系、ＤＶＤ系、またはＨＤＤＶＤ系の記録型光ディスクである。例えばＤＶ
Ｄ系では、ＤＶＤ−ＲＷ（Rewritable）／ＲＡＭ（Random Access Memory）等がある。光
ディスク２はディスクモータ３によって回転駆動される。ディスクモータ３はディスクモ
ータ制御回路４によって制御されている。
【００１１】
光ディスク２に対する情報の記録、再生は、光ピックアップ５によって行われる。光ピ
ックアップ５には、対物レンズ６が設けられており、対物レンズ６はフォーカシングアク
チュエータ７の駆動によりフォーカスシング方向（レンズの光軸方向）への移動が可能で
、またトラッキングアクチュエータ８の駆動によりトラッキング方向（レンズの光軸と直
交する方向）への移動が可能である。
【００１２】
変調回路９は情報記録時にホスト装置３０からインターフェース回路２９を介して供給
されるデータを変調し、変調されたデータをレーザ制御回路１０へ提供する。レーザ制御
回路１０は情報記録時（マーク形成時）に、変調回路９から供給される変調されたデータ
に基づいて、書き込み用信号を光ピックアップ５内のレーザダイオード１１に供給する。
【００１３】
レーザダイオード１１は３種類あり、第１のレーザダイオードはＤＶＤ用のレーザダイ
オード１１ａ、第２のレーザダイオードはＨＤＤＶＤ用のレーザダイオード１１ｂ、第３
のレーザダイオードはＣＤ用のホログラムレーザダイオード１１ｃである。第１のレーザ
ダイオード１１ａの波長は約６５０ｎｍ（nano meter）（第１の波長）、第２のレーザダ
イオード１１ｂは約４０５ｎｍ（第２の波長）、第３のレーザダイオード１１ｃは約７８
０ｎｍ（第３の波長）である。この３種類のレーザダイオード１１の一つが、レーザ制御
回路１０から供給される信号に応じて選択されてレーザ光を出射する。
【００１４】
レーザダイオード１１ａから発せられるレーザ光は、ＨＤ ＤＶＤ／ＤＶＤ合波プリズ
ム１２、偏光ビームスプリッタ（ＰＢＳ）１３、ダイクロイックプリズム１４、コリメー
トレンズ１５、１／４波長板１６、対物レンズ６を介して光ディスク２上に照射される。
レーザダイオード１１ａから発せられるレーザ光の光ディスク２からの反射光は、対物レ
ンズ６、１／４波長板１６、コリメートレンズ１５、ダイクロイックプリズム１４、偏光
ビームスプリッタ（ＰＢＳ）１３を介して光検出器１７に導かれる。以上がＤＶＤ系光学
システムである。光検出器１７からの出力信号は、ＲＦアンプ１９へ供給される。
【００１５】
レーザダイオード１１ｂから発せられるレーザ光は、ＨＤ ＤＶＤ／ＤＶＤ合波プリズ
ム１２、偏光ビームスプリッタ（ＰＢＳ）１３、ダイクロイックプリズム１４、コリメー
トレンズ１５、１／４波長板１６、対物レンズ６を介して光ディスク２上に照射される。
レーザダイオード１１ｂから発せられるレーザ光の光ディスク２からの反射光は、対物レ
ンズ６、１／４波長板１６、コリメートレンズ１５、ダイクロイックプリズム１４、偏光
ビームスプリッタ（ＰＢＳ）１３を介して光検出器１７に導かれる。以上がＨＤＤＶＤ系
光学システムである。光検出器１７からの出力信号は、ＲＦアンプ１９へ供給される。
【００１６】
レーザダイオード１１ｃから発せられるレーザ光は、ダイクロイックプリズム１４、コ
リメートレンズ１５、１／４波長板１６、対物レンズ６を介して光ディスク２上に照射さ
れる。レーザダイオード１１ｂから発せられるレーザ光の光ディスク２からの反射光は、
対物レンズ６、１／４波長板１６、コリメートレンズ１５、ダイクロイックプリズム１４
、を介してレーザダイオード１１ｃ内に内蔵された光検出器１８に導かれる。以上がＣＤ
系光学システムである。光検出器１８からの出力信号は、ＲＦアンプ１９へ供給される。
【００１７】
ＲＦアンプ１９は、光検出器１７または光検出器１８からの検出信号を処理し、ジャス
トフォーカスからの誤差を示すフォーカス誤差信号（ＦＥ信号）、レーザ光のビームスポ
ット中心とトラック中心との誤差を示すトラッキング誤差信号（ＴＥ信号）、および再生
信号（ＲＦ信号）を生成し、生成されたＦＥ信号、ＴＥ信号、およびＲＦ信号をＡ／Ｄ変
換器２０に供給する。ＲＦアンプ１９は、光検出器１７または光検出器１８からの検出信
号を処理する際、使用されるレーザダイオード１１ａ、１１ｂまたは１１ｃに応じて信号
を生成する時のパラメータをそれぞれの適切な値に設定して上記信号を生成する。Ａ／Ｄ
変換器２０から出力された信号はバス２５を介してＣＰＵ（Central Processing Unit）
２６等に供給される。
【００１８】
フォーカス・トラッキング制御回路２１は、バス２５を介して供給されたＦＥ信号及び
ＴＥ信号に応じてフォーカス制御信号及びトラッキング制御信号を生成し、フォーカシン
グアクチュエータ７及びトラッキングアクチュエータ８に出力し対物レンズ６を駆動する
。これにより、レーザ光が光ディスク２の情報記録面上に常時ジャストフォーカスとなる
フォーカシングサーボ、及びレーザ光が光ディスク２上に形成されたトラック上を常にト
レースするトラッキングサーボが行われる。
【００１９】
ＲＦ信号は、Ａ／Ｄ変換器２０でデジタル信号に変換されチャネルビットのデータとし
てデータ再生回路２２に供給される。データ再生回路２２は、Ａ／Ｄ変換器２０から供給
されたチャネルビットの信号とＰＬＬ（Phase Locked Loop）回路２３から供給される同
期信号に基づいて再生信号を生成し、生成した再生信号を復号化し、バス２５を介してエ
ラー訂正回路２４に出力する。ＰＬＬ回路２３は再生信号を生成する際に必要な同期信号
を発生する回路である。データ再生回路２２で再生された再生データは、付与されている
エラー訂正コードを用いてエラー訂正回路２４でエラー訂正を行った後、インターフェー
ス回路２９を介してホスト装置３０に出力される。
【００２０】
ディスクモータ制御回路４、変調回路９，レーザ制御回路１０、Ａ／Ｄ変換回路２０、
フォーカス・トラッキング制御回路２１、データ再生回路２２、ＰＬＬ回路２３、エラー
訂正回路２４等は、バス２５を介してＣＰＵ（Central Processing Unit）２６によって
制御される。
【００２１】
ＣＰＵ２６はインターフェース回路２９を介してホスト装置３０から供給される動作コ
マンドに従って、この光ディスク記録再生装置１を総合的に制御する。また、ＣＰＵ２６
は、ＲＡＭ（Random Access Memory）２７を記録再生時のバッファメモリ等の作業エリア
として使用し、ＲＯＭ（Read Only Memory）２８に記憶されたプログラムに従った所定の
制御を行う。
【００２２】
CD/DVD/HD DVD(以下HD) のRW系メディアは、図２のような光パルスで記録を行っている
。
パルストレイン部は急熱急冷となってアモルファス状態となり、反射率が下がる。
イレース部は除熱除冷となって結晶状態となり、反射率が上がる。
このような記録パルスを用いることにより、既記録部にダイレクトオーバーライトが可能
になっている。
ここで記録パワーの制御を考えた場合、Peak Powerの制御はErase Powerに対して難度が
高い。
イレース部は一定パワーの時間が比較的長いため、サンプルホールド等により、比較的容
易にAPCを掛ける事ができるが、ピークパワーは非常に短い時間のため、波形の鈍りやリ
ンギングなどの影響で正常な発光量を測定することが困難だからである。
【００２３】
Peak Powerを制御する手法としてはいくつか考案されているが、必ずしも所望の精度が得
られない問題がある。
これに対して本発明は記録前の試し書き(OPC)を利用してAPCの誤差を補正し、精度良く記
録することを目的としている。
実際に記録を行う際、ドライブは記録前にパワーを振って試し書き（OPC）を行い、記録
パワーを合わせる動作を行っている。
OPCはErase Power/Peak Powerの比（イプシロン）を一定に保った状態でパワーを振り変
調度変化を利用して（γ法など）パワーを決定している（図３）。
【００２４】
しかしこの場合、変調度に寄与するのはほとんどがPeak Powerであり、Erase Powerはあ
まり関係がない。
ここで例としてεが0.5 (Erase / Peak = 0.5) でOPCを行う場合を考える。
FW（ファームウェア）は所望のパワーを得られるようにパワーを設定する（図４a)。
しかし実際にはこれにAPCの制御誤差が加わるため、発光波形は図４bのようになってしま
う。
前述の通り、Peak Powerには誤差が多く、Erase Powerには誤差が少ない。
この状態でOPCを行った場合、実際のPeak Powerが低いためFWはパワーが足りないと判断
し、パワーを上げる判断を行うとともに、同じ比率でErase Powerを上げる。
【００２５】
この結果Erase Powerが上がりすぎてしまい、オーバーライト特性が悪化する。
この問題に対して下記の手順でOPCを行い、イレースパワーの調整を行う。
（OPC実行フローチャート）
図６は、光ディスク装置１のＯＰＣ実行の工程を示すフローチャートであり、以下の順
で処理を行う。
ステップＳ２０１では、まず試し書きに使用する領域を決定する。続くステップＳ２０
２では、以上通常の手法でOPCを行う。そしてステップＳ２０３では、パワーを決定する
（仮パワー調整）（図３）。
【００２６】
ステップＳ２０４では、ステップＳ２０３までで決定したパワーで次のOPC領域に記録
（一定パワーで記録して下書きを作る）する。
ステップＳ２０５では、ステップＳ２０３までで決定した仮イレースパワーを元にしてパ
ワーを振りながら、ステップＳ２０４で記録した領域をDCイレースする。
ステップＳ２０６ではこの領域の変調度を測定し、消去率を測定する（図５）。ここで求
めた消去率を使用して理想イレースパワーを決める（消去率γ）。
（補足）
ここで求めたイレースパワーを固定し、ピークパワーのみを振って再度OPCを行う。こ
こでの処理は通常のOPCと同様に、変調度γでおこなう。
以上の手順を踏むことで、理想のピーク／イレースパワーが決定されるため、ドライブの
バラツキを低減できる。
上記実施例は実際にメディアに記録を行い、その時の記録特性からズレを予測して制御
を行うという点に特徴が存する。
効果として記録品位（特にオーバーライト）の改善がある。記録パワーのバラツキが低
減され、記録品位が向上する。
なお、この発明は上記実施例に限定されるものではなく、この外その要旨を逸脱しない
範囲で種々変形して実施することができる。
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係る構
成要素を適宜組み合わせても良いものである。
【図面の簡単な説明】
【００２７】
【図１】本発明が適用される光ディスク記録再生装置１の構成を示すブロック図。
【図２】ＣＤ／ＤＶＤ／ＨＤ−ＲＷへの記録波形の概略図。
【図３】通常ＯＰＣ時のパワー対変調を説明するために示す特性図。
【図４】Peak Power, Erase Powerの例を示す概略図。
【図５】ＤＣイレースＯＰＣ時のパワー対変調を説明するために示す特性図。
【図６】光ディスク装置１のＯＰＣ実行の工程を示すフローチャート。
【符号の説明】
【００２８】
１  光ディスク装置
２  光ディスク
３  ディスクモータ
５  光ピックアップ
６  対物レンズ
１０  レーザ制御回路
１１ａ、ｂ、ｃ  レーザダイオード
１７  光検出器
１８  光検出器
１９  ＲＦアンプ
２０  Ａ／Ｄ変換回路
２１  フォーカス・トラッキング制御回路
２２  データ再生回路
２３  ＰＬＬ回路
２４  エラー訂正回路
２５  バス
２６  ＣＰＵ
２７  ＲＡＭ
２８  ＲＯＭ
２９  インターフェース回路
３０  ホスト装置
【図１】
2009087399.tif 000003
【図２】
2009087399.tif 000004
【図３】
2009087399.tif 000005
【図４】
2009087399.tif 000006
【図５】
2009087399.tif 000007
【図６】
2009087399.tif 000008